(57)【特許請求の範囲】
【請求項１】
ユーザーの端末機と連動して、ユーザーの端末機とデータ通信を遂行するように構成されるブルートゥース（登録商標）ネックバンドにおいて、
ネックバンドの形状を維持するように構成され、ユーザーの首周りを安定的に包むように構成されているチューブフレームと、
前記チューブフレームの一側および他側に構成され、ネックバンドの形状をとるように構成され、ユーザーが着用する時、ユーザーの左右の鎖骨に安定的に安着するように構成されたベースフレームと、
前記ベースフレームの内部に構成され、ユーザーの端末機と連動して双方向データ通信を可能にするように構成されたブルートゥースモジュールと、
前記ベースフレームの一面に構成され、音響出力と電動力を同時に具現することができる振動スピーカーと、
前記ベースフレームの一側に結合するように構成され、音響出力を具現できるように構成されたイヤホンと、
前記ベースフレームの内部に構成され、前記振動スピーカー、前記イヤホン、及び前記ブルートゥースモジュールの少なくともいずれか一つを制御するように構成された制御モジュールと、
前記ベースフレームの一面に構成され、電源のオンオフ（ｏｎ／ｏｆｆ）を制御するように構成された電源ボタンと、および、
前記ベースフレームの一面に構成され、前記イヤホン及び前記振動スピーカーの少なくともいずれか一つの音響出力の強さを制御するように構成されたボリュームボタンと、を含んで構成されたことを特徴とする、振動スピーカーを含むブルートゥースネックバンドヘッドセット。  
【請求項２】
前記制御モジュールは、
ユーザーの端末機から送信される音響情報を前記ブルートゥースモジュールから取得するように構成され、獲得した音響情報を前記イヤホン及び前記振動スピーカーの少なくともいずれか一つに送信して、音響情報を出力するように構成された音響出力制御部と、
前記ボリュームボタンの操作信号を取得するように構成され、獲得した操作信号を利用して前記イヤホン及び前記振動スピーカーの少なくともいずれか一つの音響出力の強さを制御するように構成される音響出力強さ制御部と、を含んで構成されることを特徴とする請求項１に記載の振動スピーカーを含むブルートゥースネックバンドヘッドセット。  
【請求項３】
前記振動スピーカーは、
中央が穿孔されて構成されたキャップと、
前記キャップの内周縁の中央部に固定されている第１のサスペンションと、
前記キャップと前記第１のサスペンションとの間に位置するように構成された振動板と、
前記第１のサスペンションの下部に固定されたコイルと、
前記キャップの下部に結合されているフレームと、
上部が開口された形態で構成され、上部外側の外周縁を前記フレームの内周縁に密着させて固定できるように構成されているヨークと、
前記ヨークの内部の底面に固定するマグネットと、
前記マグネットの上部に固定されるプレートと、
前記ヨークの下部に固定されている第２のサスペンションと、
前記フレームの下部に結合されるグリルと、
前記ヨークの上部に固定されている第３のサスペンションと、を含んで構成されることを特徴とする請求項１に記載の振動スピーカーを含むブルートゥースネックバンドヘッドセット。  
【請求項４】
前記キャップは、
内周縁の上部に形成される第１の段付き部と、
内周縁の中央部に形成される第２の段付き部と、
内周縁の下部に形成される第３の段付き部と、を含んで構成され、
内周縁の中央部に前記第１のサスペンションを結合させることができる少なくとも一つ以上の第１のサスペンション嵌め込み溝を含んで構成されることを特徴とする請求項３に記載の振動スピーカーを含むブルートゥースネックバンドヘッドセット。
【請求項５】
前記第１のサスペンションは、
前記第１のサスペンション嵌め込み溝と嵌め込み結合される第１のサスペンション突出部を含んで構成されることを特徴とする請求項４に記載の振動スピーカーを含むブルートゥースネックバンドヘッドセット。
【請求項６】
前記フレームは、
前記フレームの上部に前記第３のサスペンションを嵌め込み結合して固定できるように、前記フレームの上部に形成されるサスペンション嵌め込み突起を含んで構成されることを特徴とする請求項３に記載の振動スピーカーを含むブルートゥースネックバンドヘッドセット。
【発明の詳細な説明】
【技術分野】
【０００１】
本発明は振動スピーカーを含むブルートゥース（登録商標）ネックバンドヘッドセットに関するものであり、より詳細には、音響出力と高出力の振動を同時に具現することができる振動スピーカーを含むブルートゥースネックバンドヘッドセットに関するものである。    
【背景技術】
【０００２】
スピーカーは電流が流れる導体が磁界の中に存在すれば、力を受けるというプレーンミンクの左手の法則により、磁気回路のエアギャップの間に存在するボイスコイルに印加される電気エネルギーを機械エネルギーに変換させる装置である。
【０００３】
つまり、複数の周波数が含まれている電流信号が、ボイスコイルに印加される場合は、ボイスコイルは、電流の強さおよび周波数のサイズによって機械的なエネルギーを発生し、ボイスコイルに付着されている振動板が上下に振動しながら人間の耳が認知することができる音圧を発生させるようになる。
【０００４】
このようなスピーカーは、ヨーク(ｙｏｋｅ)内にマグネト(ｍａｇｎｅｔ)と上部プレート(ｕｐｐｅｒ  ｐｌａｔｅ)を使用して磁気回路(ｍａｇｎｅｔｉｃ  ｃｉｒｃｕｉｔ)を形成し、前記磁気回路の磁束(ｍａｇｎｅｔｉｃ  ｆｌｕｘ)が鎖交するようにエアギャップ内にボイスコイルを設置し、前記ボイスコイルは振動板に接着されていて前記ボイスコイルに印加される入力信号によって上下に起電力を発生させて、フレームに接着剤に拘束されている振動板を振動させて音圧を発生させるようになる。
【０００５】
このようなスピーカーは、上部が開いた形状を持ち、内部に設置スペースが用意されているフレームを含む。前記フレームは、エッジが接着される段付部と、サスペンションの外周の断面が接着される段付部が上下に具備され、エッジを通って上下に自然に振動が可能にする振動板を設置するように構成することとして、前記振動板は外部から電流が印加され、マグネトとの電磁力によって上下に振動するボイスコイルが付着される。このようなフレーム(Ｆｒａｍｅ)のサイズと形状によりスピーカーのサイズと形状が決定されるのが一般的である。このような技術として特許文献１および特許文献２がある。
【０００６】
特許文献１は振動板の分割共振を抑制して音質が向上することができるスピーカーに関するものであり、フレームと；前記フレームに結合され、  磁気力を発生するように用意されている磁気回路部と；前記フレームの内部に設置され、前記磁気回路部により振動するように具備されるボイスコイルと；前記ボイスコイルにより振動しながら音響を再生する振動板と；  前記振動板とフレームとの間を接続するエッジユニットとを含んで構成され、前記エッジユニットは、振動板とフレームとの間で振動板の振動を制御するように配置される第１のエッジと、前記第１のエッジよりも下側に配置される第２のエッジとを含んで構成される。
【０００７】
特許文献２は、内部に音響発生が配置されるスピーカーフレーム；前記スピーカーフレームの縁に配置されるエッジ；及び前記スピーカーフレームの前方側に配置され、前記エッジによってスピーカーフレームに固定され、前記エッジを覆うように配置されているコンボディを含んで構成され、前記コンボディの枠に沿って形成されている補強リブを含んで構成されることによって、前記コンボディは前記エッジを覆うように配置され、コンボディが光沢処理されるので、前記スピーカーの外側のエッジがシールドされて前記エッジの損傷を防止し、設計の自由度を向上させることができる効果を持つスピーカーに関するものである。    
【０００８】
しかしながら、従来のスピーカーと特許文献１および特許文献２は音の出力及び振動力の同時具現において  振動力が不足する。よって、スピーカーモジュール及び振動モジュールが全部具備されたデバイスの生産が必要であり、スピーカーモジュールから発生する振動を十分に活用できず、それぞれのモジュールを個別に具備しなければならないという不便さがある。  
【先行技術文献】
【特許文献】
【０００９】
【特許文献１】韓国公開特許第１０−２０１６−００３４００３号公報
【特許文献２】韓国登録特許第１０−１２５８２９３号公報
【発明の概要】
【発明が解決しようとする課題】
【００１０】
したがって、本発明は、前記のような問題点を解決するために提案された技術であり、発明の目的は、音響出力と電動力を同時に具現することができる振動スピーカーを含むブルートゥースネックバンドヘッドセットの提供にある。
【００１１】
また、発明の他の目的は、高出力の振動力を具現することができる振動スピーカーを含むブルートゥースネックバンドヘッドセットの提供にある。
【００１２】
また、発明のさらに他の目的は、高出力の振動に磁気回路が左右へ片振動することを防止してコイルと磁気回路内部の部品が相互に接触することを防止することによって、安定的に振動を具現することができる振動スピーカーを含むブルートゥースネックバンドヘッドセットの提供にある。
【課題を解決するための手段】
【００１３】
前記目的を達成するための本発明による振動スピーカーを含むブルートゥースネックバンドヘッドセットは、ユーザーの端末機と連動して、ユーザーの端末機とデータ通信を遂行するように構成されるブルートゥースネックバンドを有しており、ネックバンドの形状を維持するように構成され、ユーザーの首周りを安定的に包むように構成されているチューブフレームと；前記チューブフレームの一側および他側に構成されるが、ネックバンドの形状をとるように構成され、ユーザーが着用する時、ユーザーの左右の鎖骨に安定的に安着するように構成されるベースフレームと；前記ベースフレームの内部に構成されるが、ユーザーの端末機と連動して双方向データ通信を可能にするように構成されるブルートゥースモジュールと；前記ベースフレームの一面に構成されるが、音響出力と電動力を同時に具現することができる振動スピーカーと；前記ベースフレームの一側に結合するように構成されるが、音響出力を具現できるように構成されているイヤホンと；前記ベースフレームの内部に構成されるが、前記振動スピーカー、前記イヤホン、及び前記ブルートゥースモジュールの少なくともいずれか一つを制御するように構成される制御モジュールと；前記ベースフレームの一面に構成されるが、電源のオンオフ(ｏｎ／ｏｆｆ)を制御するように構成される電源ボタンと；前記ベースフレームの一面に構成されるが、前記イヤホン及び前記振動スピーカーの少なくともいずれか一つの音響出力の強さを制御するように構成されるボリュームボタンと；を含んで構成されることを特徴とする。
【００１４】
また、前記制御モジュールは、ユーザーの端末機から送信される音響情報を前記ブルートゥースモジュールから取得するように構成されるが、獲得した音響情報を前記イヤホン及び前記振動スピーカーの少なくともいずれか一つに送信して、音響情報を出力するように構成される音響出力制御部と；前記ボリュームボタンの操作信号を取得するように構成されるが、獲得した操作信号を利用して前記イヤホン及び前記振動スピーカーの少なくともいずれか一つの音響出力強さを制御するように構成される音響出力強さ制御部と；を含んで構成されることを特徴とする。
【００１５】
また、前記振動スピーカーは、中央が穿孔されて構成されたキャップと；前記キャップの内周縁の中央部に固定されている第１のサスペンションと；前記キャップと前記第１のサスペンションとの間に位置するように構成される振動板と；前記第１のサスペンションの下部に固定されたコイルと；前記キャップの下部に結合されているフレームと；上部が開口された形態で構成されるが、上部外側の外周縁を前記フレームの内周縁に密着させて固定できるように構成されているヨークと；前記ヨークの内部の底面に固定するマグネットと；前記マグネットの上部に固定されるプレートと；前記ヨークの下部に固定されている第２のサスペンションと；前記フレームの下部に結合されるグリルと；前記ヨークの上部に固定されている第３のサスペンションと；を含んで構成されることを特徴とする。
【００１６】
また、前記キャップは、内周縁の上部に形成される第１の段付き部と；内周縁の中央部に形成される第２の段付き部と；内周縁の下部に形成される第３の段付き部と；を含んで構成され、内周縁の中央部に前記第１のサスペンションを結合させることができる少なくとも一つ以上の第１のサスペンション嵌め込み溝を含んで構成されることを特徴とする。
【００１７】
また、前記第１のサスペンションは、前記第１のサスペンション嵌め込み溝と嵌め込み結合される第１のサスペンション突出部を含んで構成され、前記フレームは、前記フレームの上部に前記第３のサスペンションを嵌め込み結合して固定できるように、前記フレームの上部に形成されるサスペンション嵌め込み突起を含んで構成されることを特徴とする。
【発明の効果】
【００１８】
前記構成に基づく本発明は、音響出力と電動力を同時に具現することができる振動スピーカーを含むブルートゥースネックバンドヘッドセットを提供する効果を持つ。
【００１９】
また、本発明は、高出力の振動力を具現することができる振動スピーカーを含むブルートゥースネックバンドヘッドセットを提供する効果を持つ。
【００２０】
また、本発明は、高出力の振動に磁気回路が左右へ片振動することを防止してコイルと磁気回路内部の部品が相互に接触することを防止することによって、安定的に振動を具現することができる振動スピーカーを含むブルートゥースネックバンドヘッドセットを提供する効果を持つ。
【図面の簡単な説明】
【００２１】
【図１】本発明の一実施例による振動スピーカーを含むブルートゥースネックバンドヘッドセットの全体斜視図である。
【図２】本発明の一実施例による制御モジュール８００の構成を示す構成図である。
【図３】本発明の振動スピーカーの構成の例を示す分解斜視図である。
【図４】本発明の振動スピーカーの構成による結合状態を表す切開斜視図である。
【発明を実施するための形態】
【００２２】
以下、本発明は様々な変更を加えることができ、いろいろな実施例を有しているが、特定の実施例を図面に例示して詳しく説明する。しかし、これは本発明を特定の実施形態について限定するものではなく、本発明の思想及び技術範囲に含まれるすべての変更、均等物乃至代替物を含むことを理解されなければならない。  
【００２３】
本実施例は当該発明が属する技術分野で通常の知識を持った者に本発明をもっと詳しく説明するために提供される。従って、図面に示した各要素の形状はよりはっきりとした説明を強調するために誇張されることができ、本発明の説明において関連した公知技術に対する具体的な説明が本発明の要旨をくずすと判断される場合、その詳しい説明を省略する。
【００２４】
以下、本発明の望ましい実施例を、添付された図面を参考してより詳しく説明する。
【００２５】
図１を参照すれば、望ましい一実施例による本発明は、ユーザーの端末機と連動して、ユーザーの端末機とデータ通信を遂行するように構成されるブルートゥースネックバンドは、ネックバンドの形状を維持するように構成され、ユーザーの首周りを安定的に包むように構成されているチューブフレーム１００と、前記チューブフレーム１００の一側および他側に構成されるが、ネックバンドの形状をとるように構成され、ユーザーが着用する時、ユーザーの左右の鎖骨に安定的に安着するように構成されるベースフレーム２００と、前記ベースフレーム２００の内部に構成されるが、ユーザーの端末機と連動して双方向データ通信を可能にするように構成されるブルートゥースモジュールと、前記ベースフレーム２００の一面に構成されるが、音響出力と電動力を同時に具現することができる振動スピーカー３００と、前記ベースフレーム２００の一側に結合するように構成されるが、音響出力を具現できるように構成されているイヤホン４００と、前記ベースフレーム２００の内部に構成されるが、前記振動スピーカー３００、前記イヤホン４００、及び前記ブルートゥースモジュールの少なくともいずれか一つを制御するように構成される制御モジュール８００と、前記ベースフレーム２００の一面に構成されるが、電源のオンオフ(ｏｎ／ｏｆｆ)を制御するように構成される電源ボタン５００と、前記ベースフレーム２００の一面に構成されるが、前記イヤホン４００及び前記振動スピーカー３００の少なくともいずれか一つの音響出力の強さを制御するように構成されるボリュームボタン６００とを含んで構成される。
【００２６】
この時、本発明は、前記ベースフレーム２００の内部に構成されるが、前記イヤホン４００と前記ベースフレーム２００との結合が解除された時、イヤホン４００のワイヤをロールアップして、前記ベースフレーム２００とイヤホン４００が結合するように構成されるローリングモジュールをさらに含んで構成されることを特徴とする。
【００２７】
また、前記ローリングモジュールのオンオフ(ｏｎ／ｏｆｆ)を制御するように構成され、前記ベースフレーム２００の一側面に構成されることを特徴とするローリングボタン７００をさらに含んで構成されることを特徴とする。
【００２８】
図２は本発明の望ましい一実施例による制御モジュール８００の構成を示す構成図である。
【００２９】
図２を参照すれば、本発明において制御モジュール８００は、ユーザーの端末機から送信される音響情報を前記ブルートゥースモジュールから取得するように構成されるが、獲得した音響情報を前記イヤホン４００及び振動スピーカー３００の少なくともいずれか一つに送信して、音響情報を出力するように構成される音響出力制御部８１０と、前記ボリュームボタン６００の操作信号を取得するように構成されるが、獲得した操作信号を利用して前記イヤホン４００及び振動スピーカー３００の少なくともいずれか一つの音響出力強さを制御するように構成される音響出力強さ制御部８２０を含んで構成されることを特徴とする。
【００３０】
この時、前記制御モジュール８００は、前記ローリングボタン７００の操作信号を取得するように構成されるが、獲得した操作信号を使用して前記ローリングモジュールのオンオフ(ｏｎ／ｏｆｆ)を制御するようにローリングモジュールに制御信号を送信するように構成されるローリング制御部８３０をさらに含んで構成されることを特徴とする。
【００３１】
また、前記制御モジュール８００は、前記電源ボタン５００の操作信号を取得するように構成されるが、獲得した操作信号を使用して前記ブルートゥースモジュールのオンオフ(ｏｎ／ｏｆｆ)を制御するように構成されるブルートゥース制御部８４０をさらに含んで構成されることを特徴とする。
【００３２】
また、前記制御モジュール８００は、前記電源ボタン５００の操作信号を取得するように構成されるが、獲得した操作信号を使用して前記振動スピーカー３００及びイヤホン４００の少しなくともいずれか一つで、音響出力を制御するように構成される音響出力選択制御部８５０をさらに含んで構成されることを特徴とする。
【００３３】
即ち、電源ボタン５００の操作信号を使用して、前記ブルートゥースモジュールから取得した音響情報を振動スピーカー３００及びイヤホン４００の少しなくともいずれか一つで出力するように制御したり、イヤホン４００および振動スピーカー３００の両方から出力するように制御することを意味する。
【００３４】
図３は、本発明の望ましい一実施例による振動スピーカー３００の構成の例を示す分解斜視図である。
【００３５】
図４は本発明の望ましい一実施例による振動スピーカー３００の結合状態を示す切開斜視図である。
【００３６】
図３及び図４を参照すれば、本発明の前記振動スピーカー３００は、中央が穿孔されて構成されたキャップ３１０と、前記キャップ１００の内周縁の中央部に固定されている第１のサスペンション３３０と、前記キャップ１００と前記第１のサスペンション３３０との間に位置するように構成される振動板３２０と、前記第１のサスペンション３３０の下部に固定されたコイル３４０と、前記キャップ３１０の下部に結合されているフレーム３５０と、上部が開口された形態で構成されるが、上部外側の外周縁を前記フレーム３５０の内周縁に密着させて固定できるように構成されているヨーク３８０と、前記ヨーク３８０の内部の底面に固定するマグネット３８２と、前記マグネット３８２の上部に固定されるプレート３８１と、前記ヨーク３８０の下部に固定されている第２のサスペンション３６０と、前記フレーム３５０の下部に結合されるグリル３７０と、前記ヨーク３８０の上部に固定されている第３のサスペンション３９０とを含んで構成される。
【００３７】
前記キャップ３１０は、中央が穿孔されて構成されたものであり、前記振動板３２０が前記第１のサスペンション３３０と共に前記キャップ３１０の内周縁の上部に固定されば、前記キャップ３１０の穿孔された中央部分を通じて前記振動板３２０の中央部分が露出するように構成される。  
【００３８】
前記キャップ３１０は、内周縁の上部、内周縁の中央部および内周縁の下部の直径をそれぞれ違って形成して、内周縁の上部に‘Ｌ’型の第１の段付き部３１１を形成し、内周縁の中央部に‘Ｌ’型の第２の段付き部３１２を形成し、内周縁の下部に‘Ｌ’型の第３の段付き部３１３を形成するが、内周縁の直径が上部から下部へ徐々に拡張されるように構成されるのが望ましい。
【００３９】
前記キャップ３１０は、内周縁の中央部に前記第１のサスペンション３３０を結合させることができる少なくとも一つ以上の第１のサスペンション嵌め込み溝３１５をさらに含んで構成することができる。
【００４０】
前記第１のサスペンション３３０は、前記キャップ３１０の内周縁の中央部に固定されることとして、前記第１のサスペンション３３０の外側が前記第２の段付き部３１２の底面と接した状態で前記フレーム３５０を前記キャップ３１０の下部に結合して、前記第３の段付き部３１３と前記フレーム３５０が嵌め込み結合するように構成することによって、前記第１のサスペンション３３０の周りがキャップ３１０と前記フレーム３５０との間に嵌め込み結合するように構成される。
【００４１】
この時、前記第１のサスペンション３３０は、前記第１のサスペンション嵌め込み溝３１５と嵌め込み結合できるように、前記第１のサスペンション３３０の外側に突出される少なくとも一つ以上の第１のサスペンション突出部３３５を含んで構成することもできる。
【００４２】
前記振動板３２０は、前記キャップ３１０と前記第１のサスペンション３３０との間に位置するように構成することとして、前記第１のサスペンション３３０と前記キャップ３１０との結合時に、前記第１のサスペンション３３０の上部に前記振動板３２０を重ねた状態で前記キャップ３１０と前記第１のサスペンション３３０とを結合して、前記第１のサスペンション３３０と前記キャップ３１０との間に前記振動板３２０の周りが重畳された状態で結合するように構成される。
【００４３】
この時、前記振動板３２０は、振動板３２０の外側に突出される少なくとも一つ以上の振動板嵌め込み突出部３２４をさらに含んで構成することもできる。
【００４４】
前記コイル３４０は、前記第１のサスペンション３３０の下部に結合される。
【００４５】
前記フレーム３５０は、前記キャップ３１０の下部に結合するように構成し、前記フレーム３５０の上部にはサスペンション嵌め込み突起３５１を含むように構成されるが、前記サスペンション嵌め込み突起３５１の上部外周縁が前記キャップ３１０の前記第２の段付き部３１２と前記第３の段付き部３１３との間の内周縁に密着して嵌め込み結合を可能にする直径を形成するように構成されるのが望ましい。
【００４６】
前記フレーム３５０は、前記フレーム３５０の上部に、前記第３のサスペンション３９０を嵌め込み結合して固定できるように、前記フレーム３５０の上部に形成されるサスペンション嵌め込み突起３５１を含んで構成することができる。
【００４７】
前記ヨーク３８０は、上部が開口された形態で構成されるが、上部外側の外周縁を前記フレーム３５０の内周縁に密着させて固定できるように構成される。
【００４８】
前記マグネット３８２は、前記ヨーク３８０の内部の底面に固定するように構成することとして、溶接や接着剤で接着して固定することができる。
【００４９】
前記プレート３８１は、前記マグネット３８２の上部に固定されるように構成することとして、溶接や接着剤で接着して固定することができる。
【００５０】
前記第２のサスペンション３６０は、前記ヨーク３８０の下部に固定するように構成することとして、溶接や接着剤を使用してヨーク部に接着して固定することができる。
【００５１】
前記第３のサスペンション３９０は、前記ヨーク３８０の上部に固定されるように構成することとして、溶接や接着剤を使用してヨークの上部に接着して固定することができる。
【００５２】
前記第３のサスペンション３９０は、前記サスペンション嵌め込み突起３５１と嵌め込み結合するように構成することができる。
【００５３】
前記グリル３７０は、前記フレーム３５０の下部に結合するように構成される。
【００５４】
したがって、磁気回路のヨークの内部に位置するように構成される内磁型磁気回路を形成し、電流の形成時に、上下に振動する振動力を磁気回路の重量と多数のサスペンションダンパーを通じて極大化させることによって、音響出力と振動を同時に具現することができるだけでなく、高出力の振動力を具現することができる振動スピーカーを含むブルートゥースネックバンドヘッドセットを提供することができるし、高出力の振動に磁気回路が左右へ片振動することを防止してコイルと磁気回路内部の部品が相互に接触することを防止することによって、安定的に振動を具現することができる振動スピーカーを含むブルートゥースネックバンドヘッドセットを提供することになる。
【００５５】
以前記は本発明を実施例によって詳細に説明したが、本発明は実施例によって限定されず、本発明が属する技術分野において通常の知識を有するものであれば本発明の思想と精神を離れることなく、本発明を修正または変更できるであろう。
【産業上の利用可能性】
【００５６】
したがって本発明は、音響出力と電動力を同時に具現することができる振動スピーカーを含むブルートゥースネックバンドヘッドセットを提供し、高出力の振動力を具現することができる振動スピーカーを含むブルートゥースネックバンドヘッドセットを提供し、高出力の振動に磁気回路が左右へ片振動することを防止してコイルと磁気回路内部の部品が相互に接触することを防止することによって、安定的に振動を具現することができる振動スピーカーを含むブルートゥースネックバンドヘッドセットを提供する効果を持つため、工業的に広く使用できる。
【符号の説明】
【００５７】
１００  チューブフレーム
２００  ベースフレーム
３００  振動スピーカー
４００  イヤホン
５００  電源ボタン
６００  ボリュームボタン
７００  ローリングボタン
８００  制御モジュール
【図１】
0006304639.tif 000002
【図２】
0006304639.tif 000003
【図３】
0006304639.tif 000004
【図４】
0006304639.tif 000005